(57)【要約】【課題】  携帯通信端末に設けられた溝内に配置しやすい携帯通信端末用の蓋およびこれを備えた携帯通信端末を提供する。【解決手段】  イヤフォンマイク端子カバー８は、携帯電話機本体に設けられた開口を覆うための蓋であって、開口を覆い、開口に連通する溝内に配置される蓋部９と、蓋部９に形成され、溝から延びる凹部へ挿入されるための第１突起部１１とを備えている。第１突起部１１は蓋部９の外周方向へ突出しており、かつ第１突起部１１は凹部と接触するための接触部１１ａを有しており、蓋部９の表面９ａと接触部１１ａとの距離は、蓋部９の表面９ａと蓋部９の裏面９ｂとの距離以上である。【選択図】        図３
2006197225.tif 000002
【特許請求の範囲】
【請求項１】
携帯通信端末に設けられた開口を覆うための蓋であって、
前記開口を覆い、前記開口に連通する溝内に配置される蓋部と、
前記蓋部に形成され、前記溝から延びる凹部へ挿入されるための第１突起部とを備え、
前記第１突起部は前記蓋部の外周方向へ突出しており、かつ前記第１突起部は前記凹部と接触するための接触部を有しており、前記蓋部の表面と前記接触部との距離は、前記蓋部の表面と前記蓋部の裏面との距離以上であることを特徴とする、携帯通信端末用の蓋。
【請求項２】
前記第１突起部は前記蓋部の裏面に形成されていることを特徴とする、請求項１に記載の携帯通信端末用の蓋。
【請求項３】
前記第１突起部は複数であり、前記複数の第１突起部の各々は前記蓋部の外周に沿って互いに等間隔で形成されていることを特徴とする、請求項１または２に記載の携帯通信端末用の蓋。
【請求項４】
前記第１突起部の先端部は前記第１突起部の根元よりも細くなっていることを特徴とする、請求項１〜３のいずれかに記載の携帯通信端末用の蓋。
【請求項５】
前記蓋部の裏面に形成された第２突起部をさらに備えることを特徴とする、請求項１〜４のいずれかに記載の携帯通信端末用の蓋。
【請求項６】
前記第２突起部の容積は前記第１突起部の容積よりも小さいことを特徴とする、請求項５に記載の携帯通信端末用の蓋。
【請求項７】
前記蓋部を回動可能に保持するための第３突起部をさらに備えることを特徴とする、請求項１〜６のいずれかに記載の携帯通信端末用の蓋。
【請求項８】
前記蓋部の表面に沿って前記蓋部から延びる腕部をさらに備え、
前記第３突起部は前記腕部の裏面に形成されていることを特徴とする、請求項７に記載の携帯通信端末用の蓋。
【請求項９】
前記第３突起部付近における前記腕部の厚さは、前記蓋部との接続部付近における前記腕部の厚さよりも薄いことを特徴とする、請求項８に記載の携帯通信端末用の蓋。
【請求項１０】
前記第３突起部は、円柱部と、前記円柱部よりも先端側に前記円柱部よりも大きな径を有する大径部とを有することを特徴とする、請求項７〜９のいずれかに記載の携帯通信端末用の蓋。
【請求項１１】
前記第３突起部は前記大径部から先端側へ向かって径の減少している傾斜部をさらに有することを特徴とする、請求項１０に記載の携帯通信端末用の蓋。
【請求項１２】
エラストマまたはゴムの少なくともいずれか一方よりなることを特徴とする、請求項１〜１１のいずれかに記載の携帯通信端末用の蓋。
【請求項１３】
前記携帯通信端末におけるイヤフォンマイク端子を覆う蓋であることを特徴とする、請求項１〜１２のいずれかに記載の携帯通信端末用の蓋。
【請求項１４】
前記携帯通信端末における充電端子を覆う蓋であることを特徴とする、請求項１〜１２のいずれかに記載の携帯通信端末用の蓋。
【請求項１５】
前記携帯通信端末におけるカード挿入口を覆う蓋であることを特徴とする、請求項１〜１２のいずれかに記載の携帯通信端末用の蓋。
【請求項１６】
前記携帯通信端末は携帯電話機であることを特徴とする、請求項１〜１５のいずれかに記載の携帯通信端末用の蓋。
【請求項１７】
開口を有する携帯通信端末本体と、
前記開口を覆うための請求項１〜１６のいずれかに記載の携帯通信端末用の蓋とを備える、携帯通信端末。
【発明の詳細な説明】
【技術分野】
【０００１】
本発明は、携帯通信端末用の蓋およびこれを備えた携帯通信端末に関し、より特定的には、携帯通信端末の充電端子や、イヤフォンマイクや、メモリカード挿入口などを覆う蓋およびこれを備えた携帯通信端末に関する。
【背景技術】
【０００２】
従来、携帯通信端末には充電端子、イヤフォンマイクを接続する端子や、メモリカード搭載するための機構（端子）が備えられている。これらの端子やメモリカードは常時使用するものではなく、使用しないときには防塵、防水、および耐蝕を目的として、端子にカバーをするように構成されている。端子カバーとして、従来より様々な構成のものが提案されてきた。
【０００３】
特開平１０−１７００８号公報（特許文献１）には、図２５に示すようなヒンジ付き蓋が開示されている。図２５を参照して、ヒンジ付き蓋１００は、蓋本体１０２およびヒンジ部１０３からなっている。蓋本体１０２は、電卓の電池ケース１０４の開口部を伏せることができる大きさの板状体である。蓋本体１０２の一端の背面には凹部１０６が形成されている。端子を覆う際には、蓋本体１０２は電池ケース１０４に設けられた溝１０４ａ内に配置される。そして、電池ケース１０４に設けられたフック１０５に凹部１０６が係止され、ヒンジ付き蓋１００の横方向（図中左右方向）へのスライドが抑止される。蓋本体１０２の他端の背面には電池ケース１０４の凹部１１０に係合するフック１０７が設けられている。ヒンジ部１０３は厚みの薄いシート状物であり、フック１０７の背面側端部から延設されている。このヒンジ部１０３は電池ケース１０４のヒンジ収納スペース１０８の中に収納され、その端部には凸状のストッパ１０９が形成されている。
【０００４】
また、特開２００１−２１０９７２号公報（特許文献２）には、図２６に示すような端子カバーが開示されている。図２６を参照して、端子カバー２０２には、指などをひっかけ、開くための凹部２０２ａと、端子を覆い隠す蓋部２０２ｂと、蓋部２０２ｂを本体へ接続するための舌片部２０２ｃとからなる。さらに、その舌片部２０２ｃの先端面２２１と、取付けの際に本体のボスとが当接し、導かれる傾斜面２２２と、本体に取付け後、簡単に取れないようにした抜け止め用部分２２３と、本体のボスが開閉時に舌片部２０２ｃを導き、それにより端子カバー２０２全体を導くためのガイド面２２４と、端子カバー２０２を本体へ取り付ける際に弾性変形をすることで、取付け後小さな力では外れないようにする弾性変形用穴２２５と、本体の端子へのガイド機能をなす端子ガイド部２２７とを一体として有しており、弾性部材（たとえばゴム）でなっている。この端子カバー２０２が本体のプラグ挿入口（図示なし）を覆う際には、蓋部２０２ｂは本体の溝内（図示なし）に配置される。
【０００５】
また、特開２００２−１４１９９１号公報（特許文献３）には、図２７に示すようなコネクタカバー部およびイヤフォンジャックカバー部が開示されている。図２７を参照して、携帯電話の下ケースは、下表ハーフ３２０と下裏ハーフ３２１とにより構成されており、下表ハーフ３２０と下裏ハーフ３２１とによって構成された空間内にはプリント基板３２４が配設されており、プリント基板３２４の下端部に配設されたＩＦコネクタ３１４と、下裏ハーフ３２１とによって、保護部材３１３が狭持されている。コネクタカバー部３１３ａおよびイヤフォンジャックカバー部３１３ｂは保護部材３１３と一体に形成されている。コネクタカバー部３１３ａは、保護部材３１３に設けられた溝３１６ａ内に配置されることで、ＩＦコネクタ３１４を覆う。同様に、イヤフォンジャックカバー部３１３ｂは、下表ハーフ３２０に設けられた溝３１６ｂおよび下裏ハーフ３２１に設けられた溝３１６ｃの内部に配置されることで、イヤフォンジャック３１５を覆う。
【０００６】
また、特開２００２−１９０３４９号公報（特許文献４）には、図２８に示すような端子カバーが開示されている。図２８を参照して、端子カバー４０１は、長方形の平板で構成されるカバー本体４０２と、カバー本体４０２の一辺に下方に屈曲したヒンジ部（取付部）４０３とが一体形成されたものである。そしてこのヒンジ部４０３はカバー本体４０２の一辺に沿ってカバー本体４０２より肉厚に形成されており、両端面のそれぞれに回転軸４０３ａ，４０３ｂが突出形成されている。一方、電話機本体４０４側の端子カバー４０１が取り付けられる取付け部分は、回転軸４０３ａ，４０３ｂの各々を軸支しうる軸受部としての２つの軸穴（図示なし）が形成されている。端子カバー４０１が端子４１１を覆う際には、端子カバー４０１は電話機本体４０４に設けられた溝４０５内に配置される。
【０００７】
加えて、図３０および図３１は、従来のさらに他の端子カバーの構成を示す断面図である。図３０および図３１を参照して、内部に電子部品５１０が搭載された筐体５０２は、上面に配置された機能ボタン部５１９と、側面に配置された側面キャビ５０５とを備えている。側面キャビ５０５の溝５０７には、電子部品５１０の端子５０２ａを覆うための端子カバー５０９が取り付けられている。端子カバー５０９は、その側面から外周方向（図３０中上下方向）へ突出する突起部５４１を有している。溝５０７から図３０中上方向に延びた凹部５０７ａへ突起部５４１を嵌め込むことによって、端子カバー５０９は溝５０７内に配置されている。突起部５４１は、接触部５４１ａで凹部５０７ａの内壁と接触している。ここで、接触部５４１ａは、端子カバー５０９の裏面５０９ａよりも端子カバー５０９の表面５０９ｂに近い。この端子カバー５０９を取り付ける際には、図３２（ａ）、（ｂ）に示すように、突起部５４１が溝５０７の内壁と摩擦しながら、端子カバー５０９は溝５０７内へ挿入される。そして、端子カバー５０９の裏面５０９ａが溝５０７の底部に接触する位置まで挿入されると、突起部５４１が凹部５０７ａ内に挿入された状態となる。
【特許文献１】特開平１０−１７００８号公報
【特許文献２】特開２００１−２１０９７２号公報
【特許文献３】特開２００２−１４１９９１号公報
【特許文献４】特開２００２−１９０３４９号公報
【発明の開示】
【発明が解決しようとする課題】
【０００８】
しかしながら、上記特許文献１〜３に記載された端子カバーは、いずれも携帯通信端末に設けられた開口（溝）内に端子カバーを配置することのみによって端子を覆う（閉じる）。このため、端子カバーを開口内に配置することが難しく、端子カバーが浮き上がりやすいという問題があった。
【０００９】
また、特許文献４に記載された端子カバーにも同様の問題があった。特許文献４に記載された端子カバーの開閉の様子を図２９に示す。図２９を参照して、カバー本体４０２はその端部に係止突部４０７を有している。端子を覆う際には、電話機本体４０４の上端４０４ａに係止突部４０７を当接して、カバー本体４０２を下方向に押圧することによって、係止凹部４０８に係止突部４０７を嵌め込む。しかし、特許文献４に記載された端子カバーでは、係止突部４０７が端子カバー４０１の端部に設けられているので、係止突部４０７の近傍を押圧しないと、カバー本体４０２が上端４０４ａに当たって上方向に湾曲した状態になり、係止凹部４０８に係止突部４０７を嵌め込むことができなくなる。その結果、端子カバー４０１を溝４０５内に配置することが難しく、端子カバー４０１が浮き上がりやすいという問題があった。
【００１０】
さらに、図３０および図３１に示す端子カバーでは、図３３（ａ）、（ｂ）に示すように、溝５０７の内壁によって突起部５４１が図中右方向に引きずられて、突起部５４１が凹部５０７ａ内に到達せずに押圧されたままの状態となることがあった。このため、図３０および図３１に示す端子カバーにおいても、端子カバー５０９を溝５０７に配置することが難しく、端子カバー５０９が浮き上がりやすいという問題があった。
【００１１】
端子カバーを開口内に配置することが難しく、端子カバーが浮き上がりやすいという上記の問題は、端子カバーのみならず、携帯通信端末に設けられた開口を覆うための蓋である、携帯通信端末用の蓋に共通して起こり得る問題である。
【００１２】
したがって、本発明の目的は、携帯通信端末に設けられた溝内に配置しやすい携帯通信端末用の蓋およびこれを備えた携帯通信端末を提供することである。
【課題を解決するための手段】
【００１３】
本発明の携帯通信端末用の蓋は、携帯通信端末に設けられた開口を覆うための蓋であって、開口を覆い、開口に連通する溝内に配置される蓋部と、蓋部に形成され、溝から延びる凹部へ挿入されるための第１突起部とを備えている。第１突起部は蓋部の外周方向へ突出しており、かつ第１突起部は凹部と接触するための接触部を有しており、蓋部の表面と接触部との距離は、蓋部の表面と蓋部の裏面との距離以上である。
【００１４】
本発明の携帯通信端末用の蓋によれば、蓋部の表面と接触部との距離が蓋部の表面と蓋部の裏面との距離以上であるので、第１突起部を従来よりも深い位置にまで挿入することができる。このため、第１突起部を凹部へ挿入しやすくなり、蓋を溝内に配置しやすくなる。
【００１５】
本発明の携帯通信端末用の蓋において好ましくは、第１突起部は蓋部の裏面に形成されている。これにより、接触部を蓋部の表面から離しやすくなる。
【００１６】
本発明の携帯通信端末用の蓋において好ましくは、第１突起部は複数であり、複数の第１突起部の各々は蓋部の外周に沿って互いに等間隔で形成されている。
【００１７】
これにより、第１突起部から蓋部に対して均等な力を加えることができるので、溝内に蓋部を安定して配置することができる。
【００１８】
本発明の携帯通信端末用の蓋において好ましくは、第１突起部の先端部は第１突起部の根元よりも細くなっている。これにより、これにより、第１突起部を凹部に挿入するときに位置ずれが起こりにくく、凹部に入り易くなる。
【００１９】
本発明の携帯通信端末用の蓋において好ましくは、蓋部の裏面に形成された第２突起部をさらに備えている。
【００２０】
これにより、蓋部を溝内へ配置する際に、第２突起部を変形させるような力を加えながら第１突起部が凹部に挿入される。そして、第２突起部の反発力と、第１突起部の接触部が凹部から受ける力とによって、溝内に蓋部を固定することができる。
【００２１】
本発明の携帯通信端末用の蓋において好ましくは、第２突起部の容積は第１突起部の容積よりも小さい。
【００２２】
これにより、第２突起部のサイズが小さくなるので、蓋部を溝内に配置する際に、第２突起部を容易に変形させることができる。
【００２３】
本発明の携帯通信端末用の蓋において好ましくは、蓋部を回動可能に保持するための第３突起部をさらに備えている。
【００２４】
これにより、蓋部が回動可能となるので、蓋全体を取り外さなくても開口内部にある端子などを使用することができる。
【００２５】
本発明の携帯通信端末用の蓋において好ましくは、蓋部の表面に沿って蓋部から延びる腕部をさらに備えている。第３突起部は腕部の裏面に形成されている。
【００２６】
これにより、第３突起部と蓋部との距離を腕部によって大きく取ることができるので、第３突起部を中心として蓋部を大きく回動させることができる。
【００２７】
本発明の携帯通信端末用の蓋において好ましくは、第３突起部付近における腕部の厚さは、蓋部との接続部付近における腕部の厚さよりも薄い。
【００２８】
これにより、蓋部付近に比べて第３突起部付近が曲げ変形しやすくなるので、第３突起部を取り外さずに蓋部のみを外すことによって、開口内部にある端子などを容易に露出させることができる。
【００２９】
本発明の携帯通信端末用の蓋において好ましくは、第３突起部は、円柱部と、円柱部よりも先端側に円柱部よりも大きな径を有する大径部とを有している。
【００３０】
これにより、円柱部を携帯通信端末に設けられた穴に差し込むことによって蓋部を回動可能に保持することができる。また、第３突起部が穴から抜け出るのを大径部によって防止することができる。
【００３１】
本発明の携帯通信端末用の蓋において好ましくは、第３突起部は大径部から先端側へ向かって径の減少している傾斜部をさらに有している。
【００３２】
これにより、第３突起部を穴に通す際に大径部が変形しやすくなり、大径部を容易に穴に通すことができる。
【００３３】
本発明の携帯通信端末用の蓋において好ましくは、エラストマまたはゴムの少なくともいずれか一方よりなっている。
【００３４】
これらの材料は、適度な曲げ変形性と強度とを有しているので、携帯通信端末用の蓋の材料として適している。
【００３５】
本発明の携帯通信端末用の蓋は、携帯通信端末におけるイヤフォンマイク端子を覆う蓋であることが好ましい。また、本発明の携帯通信端末用の蓋は、携帯通信端末における充電端子を覆う蓋であることが好ましい。また、本発明の携帯通信端末用の蓋は、携帯通信端末におけるメモリカード挿入口を覆う蓋であることが好ましい。
【００３６】
これにより、イヤフォンマイク端子、充電端子、またはメモリカード挿入口の防塵、防水が可能になり、かつ必要に応じて外部端子の接続が可能になる。
【００３７】
本発明の携帯通信端末用の蓋において好ましくは、携帯通信端末は携帯電話機である。これにより、携帯電話機の携帯性が増す。
【００３８】
本発明の携帯通信端末は、開口と、開口に連通する溝とを有する携帯通信端末本体と、開口を覆うための上記いずれかの携帯通信端末用の蓋とを備えている。これにより、開口内に蓋を配置しやすい携帯通信端末が得られる。
【発明の効果】
【００３９】
本発明の携帯通信端末用の蓋およびこれを備えた携帯通信端末によれば、携帯通信端末に設けられた溝内に配置しやすい。
【発明を実施するための最良の形態】
【００４０】
以下、本発明の実施の形態について、図に基づいて説明する。
【００４１】
（実施の形態１）
図１は、本発明の一実施の形態における携帯電話機の開いた状態を示す斜視図である。図２は、図１の携帯電話機の閉じた状態を示す部分分解斜視図である。図１および図２を参照して、本実施の形態の携帯通信端末としての携帯電話機は、携帯電話機本体１と、本発明の携帯通信端末の蓋としてのイヤフォンマイク端子カバー８および充電端子カバー１４とを有している。携帯電話機本体１は、イヤフォンマイク端子挿入口の開口２１と、開口２１に連通する溝２１ａと、充電端子挿入口の開口２２と、開口２２に連通する溝２２ａとを有している。開口２１は携帯電話機本体１の側面キャビ５に形成されており、開口２２は携帯電話機本体１の底部に形成されている。イヤフォンマイク端子カバー８はイヤフォンマイク端子を開閉するためのものであり、開口２１に連通する溝２１ａ内に配置される。充電端子カバー１４は充電端子挿入口の開口２２を開閉するためのものであり、開口２２に連通する溝２２ａ内に配置される。なお、本発明の携帯通信端末の蓋は、イヤフォンマイク端子カバー８および充電端子カバー１４の他に、携帯電話機本体１のメモリカード挿入口、またはコネクタ接続口などの開口を開閉するためのものであってもよい。本実施の形態では、イヤフォンマイク端子カバー８について詳細に説明する。
【００４２】
図３〜図６は、本発明の一実施の形態におけるイヤフォンマイク端子カバーの形状を示す図である。図３は側面図、図４は裏面平面図、図５は表面斜視図、図６は裏面斜視図である。また、図７は第１突起部付近の拡大図である。
【００４３】
図３〜図７を参照して、イヤフォンマイク端子カバー８は、ＴＰＥ（Thermoplastic-Elastomer）やＴＰＥＥ（Thermoplastic-Polyester-Elastomer）などのゴム含有プラスチック樹脂（エラストマ）、またはゴムよりなっている。イヤフォンマイク端子カバー８は、蓋部９と、腕部１０と、第１突起部１１と、第２突起部１２と、第３突起部１３とを備えている。
【００４４】
蓋部９は開口２１を覆うためのものであり、ほぼ円の平面形状を有している。蓋部９は、たとえば厚さｗ1が約１ｍｍの均一な厚みの円周部と、円周部よりも肉厚の薄い中心部とにより構成される帽子形状を有している。なお、蓋部９の表面９ａにはイヤフォンマイクの彫刻１７が施されている。
【００４５】
蓋部９の裏面９ｂには、３つの第１突起部１１が形成されている。第１突起部１１の各々は蓋部９の外周に沿って互いに等間隔で形成されている。第１突起部１１の各々は、裏面９ｂの端部付近から外周方向へ突出している。第１突起部１１の各々は、蓋部９の径方向に沿った断面で見ると、長方形と三角形とによって構成される断面形状を有している。言い換えれば、第１突起部１１の先端部は第１突起部１１の根元よりも細くなっている。なお、第１突起部１１の寸法の一例を挙げると、たとえば根元の縦方向の幅ｗ4が１ｍｍ、横方向の幅ｗ5が０．７ｍｍ、高さｈ1が０．６ｍｍである。
【００４６】
また、第１突起部１１は、携帯電話機本体１に設けられた凹部２３（図８）と接触するための接触部１１ａを有している。接触部１１ａは、第１突起部１１において蓋部９の円形状から突出した部分である。特に図７を参照して、本実施の形態では、蓋部９の表面９ａ（蓋部９の表面９ａが含まれる平面）と接触部１１ａとの距離ｄ10は、蓋部９の表面９ａと蓋部９の裏面９ｂとの距離ｄ11と同じであり、距離ｄ10および距離ｄ11は、蓋部９の厚さｗ1に等しい。なお、本実施の形態では、距離ｄ10および距離ｄ11が等しい場合について示したが、本発明は距離ｄ10が距離ｄ11以上であればよく、接触部１１ａの位置がもっと図７中矢印Ａで示される方向にあって距離ｄ10が大きくてもよい。
【００４７】
蓋部９の裏面９ｂには、３つの第２突起部１２が形成されている。第２突起部１２の各々は蓋部９の外周に沿って互いに等間隔で形成されており、隣接する第１突起部１１の各々と等しい距離になるような位置に形成されている。第２突起部１２の容積（サイズ）は第１突起部１１の容積（サイズ）よりも小さい。なお、第２突起部１２の寸法の一例を挙げると、たとえば根元の直径ｄ1は０．３ｍｍであり、高さｈ2は０．３ｍｍである。また、第２突起部１２の先端は直径０．３ｍｍの半球形状となっている。
【００４８】
腕部１０は、蓋部９の表面９ａに沿って蓋部９の一部から延びており、長方形と半円とによって構成される平面形状を有している。腕部１０の端部である半円の平面形状の部分には、第３突起部１３が形成されている。第３突起部１３付近における腕部１０の厚さＷ2は、蓋部９との接続部付近における腕部１０の厚さＷ3よりも薄い。なお、腕部１０の寸法の一例を挙げると、たとえば第３突起部１３付近における断面形状は、幅が３ｍｍ、厚さｗ2が１ｍｍの長方形で、蓋部９との接続部付近における断面形状は、幅が３ｍｍ、厚さｗ3が２ｍｍの長方形である。厚みが１ｍｍから２ｍｍに変化しているのは、イヤフォンマイク端子カバー８の蓋部９を指で曲げたとき第３突起部１３付近の腕部１０で曲がるようにするためである。
【００４９】
第３突起部１３は、円柱部１６と、大径部１５と、傾斜部１５ａとを有している。大径部１５は、円柱部１６よりも第３突起部１３の先端側に形成されており、円柱部１６よりも大きな径を有している。傾斜部１５ａは、大径部１５から第３突起部１３の先端側へ向かって径が減少している部分である。なお、第３突起部１３の寸法の一例を挙げると、たとえば円柱部１６の直径ｄ2が２ｍｍ、高さｈ3が１．５ｍｍであり、大径部１５の直径ｄ4が２．５ｍｍ、傾斜部１５ａの先端部の幅ｄ3が１．５ｍｍ、大径部１５から傾斜部１５ａまでの高さｈ4が１．５ｍｍである。
【００５０】
図８は、イヤフォンマイク端子カバーが配置される開口を示す図である。図１〜図８を参照して、側面キャビ５の溝２１ａは、イヤフォンマイク端子カバー８が丁度嵌まり込むような形状を有している。溝２１ａ内における図８中左側には、溝２１ａに連通して開口２１が形成されている。また、開口２１の外周には、溝２１ａから延びるように３つの凹部２３が形成されている。一方、溝２１ａ内における図８中右側には、溝２１ａに連通して穴２５が形成されている。凹部２３の各々は第１突起部１１の各々を挿入するためのものであり、穴２５は第３突起部１３を挿入するためのものである。第３突起部１３を穴２５に挿入し、第３突起部１３を支点として回転することによって、蓋部９を回動可能に保持することができる。なお、たとえば凹部２３の各々の縦方向の厚さｗ6は１．５ｍｍ、横方向の厚さｗ7は１．０ｍｍ、穴２５の直径ｄ5は２．５ｍｍである。
【００５１】
次に、本実施の形態におけるイヤフォンマイク端子カバー８の取り付け方法および蓋部９の開閉方法について説明する。
【００５２】
図８および図９を参照して、イヤフォンマイク端子カバー８を取り付ける際には、イヤフォンマイク端子カバー８の第３突起部１３を側面キャビ５に設けられた穴２５へ挿入する。ここで、穴２５の直径よりも大径部１５の直径は大きいが、先に傾斜部１５ａを通すことによって大径部１５が変形し、穴２５に大径部１５を容易に通すことができる。また、大径部１５によって、穴２５から第３突起部１３が抜け出るのを防ぐことができる。イヤフォンマイク端子カバー８を取り付けた後の様子を図１０に示す。
【００５３】
また、蓋部９を閉じる（開口２１を覆う）際には、図１０に示す状態から、蓋部９を開口２１の方へ押し付ける。すると、図１１（ａ）、（ｂ）に示すように、第１突起部１１は、溝２１ａの内壁と摩擦しながら凹部２３の方へ移動する。一方、第２突起部１２は、溝２１ａの底部によって潰された状態になる。
【００５４】
図１２（ａ）、（ｂ）を参照して、さらに蓋部９を押し付けると、第１突起部１１は凹部２３に達する。これにより、第１突起部１１が凹部２３内に挿入された状態となる。一方、第２突起部１２は溝２１ａの底部によってさらに潰された状態となる。
【００５５】
図１３（ａ）、（ｂ）を参照して、その後、蓋部９を押し付けるのをやめると、第２突起部１２は元の形状に戻ろうとする。そして、このときの反発力によって第１突起部１１は外部側（図１３（ａ）中右側）へ少し移動し、第１突起部１１の接触部１１ａが凹部２３の内壁と接触する。このとき、第１突起部１１は凹部２３から図１３（ａ）中左方向の力を受ける。つまり、第２突起部１２の反発力がゼロにならない状態が保たれる。その結果、第２突起部１２の反発力と、第１突起部１１が凹部２３から受ける力とによって、蓋部９が溝２１ａ内に固定される。
【００５６】
なお、蓋部９を開く（開口２１を露出させる）際には、図１３（ａ）、（ｂ）に示す状態から、蓋部９を外部側へ引っ張る。これによって、第１突起部１１が溝２１ａの内壁と摩擦しながら外部側へ移動し、蓋部９が溝２１ａから外れる。
【００５７】
なお、本実施の形態の携帯電話機本体１は、たとえば折りたたみ方式の携帯電話機本体であってもよい。この場合の携帯電話機本体１の構成について以下に概略を説明する。
【００５８】
図１および図２を参照して、本実施の形態の折り畳み方式の携帯電話機本体１は、第一の筐体２と、第二の筐体３と、ヒンジ部４とを有している。ヒンジ部４により、第一の筐体２と第二の筐体３とは開閉可能に連結されている。第一の筐体２は、イヤフォンマイク端子カバー８および充電端子カバー１４以外に、表面側にたとえば携帯電話機における各種設定／機能切替を行うための機能ボタン部１９、数字および文字を入力するためのキーなどから構成される入力ボタン部２０、通話等に用いる送話部１８などを有しており、側面に第一の筐体２の組立て部品であり、イヤフォンマイク端子カバー８を取り付けることを可能にした側面キャビ５を有している。また、第二の筐体３は、表面側にたとえば表示部３１、レシーバ３２などを有しており、背面側に表示部３３、フラッシュ３５およびカメラ３６によって構成されるカメラユニット３４、スピーカ３７などを有している。
【００５９】
本実施の形態のイヤフォンマイク端子カバー８によれば、蓋部９の表面９ａと接触部１１ａとの距離ｄ10が蓋部９の表面９ａと蓋部９の裏面９ｂとの距離ｄ11以上であるので、第１突起部１１を従来よりも深い位置にまで挿入することができ、凹部２３内に容易に挿入することができる。このため、第１突起部１１を凹部２３へ挿入しやすくなり、イヤフォンマイク端子カバー８を溝２１ａ内に配置しやすくなる。
【００６０】
本実施の形態のイヤフォンマイク端子カバー８において、第１突起部１１は蓋部９の裏面９ｂに形成されている。これにより、接触部を蓋部９の表面９ａから離しやすくなり、簡易な形状で蓋部９の表面９ａと接触部１１ａとの距離ｄ10を大きくすることができる。
【００６１】
本実施の形態のイヤフォンマイク端子カバー８において、第１突起部１１は複数であり、複数の第１突起部１１の各々は蓋部９の外周に沿って互いに等間隔で形成されている。
【００６２】
これにより、第１突起部１１における凹部２３との接触部１１ａから蓋部９に対して、溝２１ａの深さ方向（図１３（ａ）中左方向）に均等な力を加えることができるので、溝２１ａ内に蓋部９を安定して配置することができる。
【００６３】
本実施の形態のイヤフォンマイク端子カバー８において、第１突起部１１の先端部は第１突起部１１の根元よりも細くなっている。これにより、第１突起部１１を凹部２３に挿入するときに位置ずれが起こりにくく、凹部２３に入り易くなる。
【００６４】
本実施の形態のイヤフォンマイク端子カバー８において、蓋部９の裏面９ｂに形成された第２突起部をさらに備えている。
【００６５】
これにより、蓋部９を溝２１ａ内へ配置する際に、溝２１ａの底部に第２突起部１２を押し付けることによって第２突起部１２を潰すような力（図１３（ａ）中左方向の力）を加えながら、第１突起部１１が凹部２３に挿入される。そして、第２突起部１２が元に戻ろうとする反発力（図１３（ａ）中右方向の力）と、第１突起部１１の接触部１１ａが凹部２３から受ける力とによって、溝２１ａ内に蓋部９を固定することができる。
【００６６】
本実施の形態のイヤフォンマイク端子カバー８において、第２突起部１２の容積は第１突起部１１の容積よりも小さい。
【００６７】
これにより、第２突起部１２のサイズが小さくなるので、蓋部９を溝２１ａ内に配置する際に、第２突起部１２を容易に変形させることができる。
【００６８】
本実施の形態のイヤフォンマイク端子カバー８は、蓋部９を回動可能に保持するための第３突起部１３をさらに備えている。
【００６９】
これにより、蓋部９が回動可能となるので、イヤフォンマイク端子カバー８全体を取り外さなくても、蓋部９のみをとり外すことで、開口２１内部にあるイヤフォンマイク端子を使用することができる。
【００７０】
本実施の形態のイヤフォンマイク端子カバー８は、蓋部９の表面９ａに沿って蓋部９から延びる腕部１０をさらに備えている。第３突起部１３は腕部１０の裏面に形成されている。
【００７１】
これにより、第３突起部１３と蓋部９との距離を腕部１０によって大きく取ることができるので、第３突起部１３を中心として蓋部９を大きく回動させることができる。
【００７２】
本実施の形態のイヤフォンマイク端子カバー８において、第３突起部１３付近における腕部１０の厚さｗ2は、蓋部９との接続部付近における腕部１０の厚さｗ3よりも薄い。
【００７３】
これにより、蓋部９付近に比べて第３突起部１３付近が曲げ変形しやすくなるので、第３突起部１３を取り外さずに蓋部９のみを外すことによって、開口２１内部にあるイヤフォンマイク端子を容易に露出させることができる。
【００７４】
本実施の形態のイヤフォンマイク端子カバー８において、第３突起部１３は、円柱部１６と、円柱部１６よりも先端側に円柱部１６の径ｄ2よりも大きな径ｄ4を有する大径部１５とを有している。
【００７５】
これにより、円柱部１６を穴２５に差し込むことによって蓋部９を回動可能に保持することができる。また、第３突起部１３が穴２５から抜け出るのを大径部１５によって防止することができる。
【００７６】
本実施の形態のイヤフォンマイク端子カバー８において、第３突起部１３は大径部１５から先端側へ向かって径の減少している傾斜部１５ａをさらに有している。
【００７７】
これにより、第３突起部１３を穴２５に通す際に大径部１５が変形しやすくなり、大径部１５を容易に穴２５に通すことができる。
【００７８】
イヤフォンマイク端子カバー８は、エラストマまたはゴムの少なくともいずれか一方よりなっている。
【００７９】
これらの材料は、適度な曲げ変形性と強度とを有しているので、イヤフォンマイク端子カバー８の材料として適している。
【００８０】
本実施の形態の携帯電話機は、開口２１と、開口２１に連通する溝２１ａとを有する携帯電話機本体１と、開口２１を覆うためのイヤフォンマイク端子カバー８とを備えている。これにより、溝２１ａ内にイヤフォンマイク端子カバー８を配置しやすい携帯電話機が得られる。
【００８１】
なお、本実施の形態では、第１突起部１１が蓋部９の裏面９ｂに形成されている場合について示したが、本発明はこのような場合の他、図１４に示すように、第１突起部１１が蓋部９の側面に形成されていてもよい。なお、図１４に示すイヤフォンマイク端子カバー８の場合にも、蓋部９の表面９ａと接触部１１ａとの距離が蓋部９の表面９ａと蓋部９の裏面９ｂとの距離以上であることは言うまでもない。
【００８２】
（実施の形態２）
図１および図２を参照して、本実施の形態では、充電端子カバー１４について詳細に説明する。充電端子カバー１４は、イヤフォンマイク端子カバー８とは形状が異なっているが、イヤフォンマイク端子カバー８と同様に第１突起部および第２突起部を備えており、本発明の携帯通信端末用の蓋に相当するものである。
【００８３】
図１５〜図１９は、本発明の一実施の形態における充電端子カバー形状を示す図である。図１５は裏面平面図、図１６は一方の側面図、図１７は図１６のＸＶＩＩ−ＸＶＩＩ線に沿う断面図、図１８は他方の側面図、図１９は表面平面図である。
【００８４】
図１、図２、および図１５〜図１９を参照して、充電端子カバー１４は、ＴＰＥやＴＰＥＥなどのゴム含有プラスチック樹脂（エラストマ）、またはゴムよりなっている。充電端子カバー１４は、蓋部５７と、第１突起部５１と、第２突起部５２と、舌片部５６とを主に備えている。蓋部５７と舌片部５６とは互いに直角になるように結合している。
【００８５】
蓋部５７は、開口２２を覆うためのものであり、ほぼ長方形の平面形状を有している。特に図１５を参照して、蓋部５７は、相対的に厚みの大きい外周部と、外周部に囲まれた相対的に厚みの小さい中心部とにより構成されており、この外周部の表面が蓋部５７の裏面５７ｂとなっている。
【００８６】
蓋部５７の裏面５７ｂには、２つの第１突起部５１が、仮想線６０に対して互いに線対称となるように形成されている。特に図１７を参照して、第１突起部１１の各々は、Ｌ字型の断面形状を有しており、裏面９ｂの端部付近から外周方向へ突出している。第１突起部５１は、携帯電話機本体１に設けられた凹部２４（図２２）と接触するための接触部５１ａを有している。接触部５１ａは、第１突起部５１において蓋部５７の長方形から突出した部分である。本実施の形態では、蓋部５７の表面５７ａ（蓋部５７の表面５７ａが含まれる平面）と接触部５１ａとの距離ｄ20は、蓋部５７の表面５７ａと蓋部５７の裏面５７ｂとの距離ｄ21よりも大きい。なお、本発明は距離ｄ20が距離ｄ21以上であればよく、距離ｄ20と距離ｄ21とが同じでもよい。
【００８７】
蓋部９の裏面９ｂには、６つの第２突起部５２の各々が、仮想線６０に対して互いに線対称になるように形成されている。本実施の形態において、第２突起部５２の各々の高さは、第１突起部５１の各々の高さよりも高くなっている。
【００８８】
なお、蓋部５７の中心部には、２つの突起部５４が、仮想線６０に対して互いに線対称になるように形成されている。突起部５４は、充電端子を使用しない場合に、開口２２内に設けられている充電端子に挿入するためのものである。突起部５４を充電端子に挿入することで、充電端子カバー１４の位置決めをし、がたつきを防止することができる。また、舌片部５６は、充電端子カバー１４を開口２２内の溝２２ａ内に配置する際に、開口２２内に挿入される部分である。舌片部５６には、２つの突起部５５および突起部５８が形成されており、これらの突起部を開口２２内に挿入することによって、充電端子カバー１４が開口２２の溝２２ａから抜け出ることを防止している。
【００８９】
続いて、本実施の形態における充電端子カバー１４の取付け方法について説明する。
【００９０】
図２０を参照して、始めに、舌片部５６を開口２２内へ挿入する。舌片部５６が開口２２内へ挿入された後の充電端子カバー１４の様子を図２１に示す。
【００９１】
続いて、蓋部５７を開口２２の方へ押し付ける。すると、図２２に示すように、第１突起部５１は、溝２２ａの内壁と摩擦しながら凹部２４の方へ移動する。一方、第２突起部５２は、溝２２ａの底部によって潰された状態になる。
【００９２】
さらに蓋部５７を押し付けると、図２３に示すように、第１突起部５１は凹部２４に達する。これにより、第１突起部５１が凹部２４内に挿入された状態となる。一方、第２突起部５２は溝２２ａの底部によってさらに潰された状態となる。
【００９３】
その後、蓋部５７を押し付けるのをやめると、第２突起部５２は元の形状に戻ろうとする。そして、このときの反発力によって第１突起部５１は外部側（図中下側）へ少し移動し、第１突起部５１の接触部５１ａが凹部２４の内壁と接触する。このとき、第１突起部５１は凹部２４から図中上方向の力を受ける。つまり、第２突起部５２の反発力がゼロにならない状態が保たれる。その結果、第２突起部５２の反発力と、第１突起部５１が凹部２４から受ける力とによって、蓋部５７が溝２２ａ内に固定される。
【００９４】
なお、蓋部５７を開く（開口２２を露出させる）際には、図２４に示す状態から、蓋部５７を外部側へ引っ張る。これによって、第１突起部５１が溝２２ａの内壁と摩擦しながら外部側へ移動し、充電端子カバー１４が溝２２ａから外れる。
【００９５】
本実施の形態の充電端子カバー１４によっても、実施の形態１のイヤフォンマイク端子カバー８と同様の効果を得ることができる。
【００９６】
なお、上記においては、折り畳み式方式の携帯電話機について説明したが、本発明はこれに限定されるものではなく、ストレートタイプやフリップタイプの携帯電話機にも適用することができる。
【００９７】
また、本実施の形態においては、携帯情報端末の一例として携帯電話機について説明したが、本発明の携帯情報端末はこれに限定されるものではなく、ＰＤＡ（personal  data  assistant）、ノート型パーソナルコンピュータ、通信可能なデジタルカメラなどであってもよい。
【００９８】
また、携帯情報端末用の蓋はたとえばイヤフォンマイク端子カバーおよび充電端子カバーであるが、データ記憶用カード挿入口の蓋などであってもよく、少なくとも携帯通信端末に設けられた開口を覆うための蓋であればよい。
【産業上の利用可能性】
【００９９】
本発明は、携帯通信端末の充電端子や、イヤフォンマイクや、メモリカード挿入口などを覆う蓋およびこれを備えた携帯通信端末に適用可能である。
【図面の簡単な説明】
【０１００】
【図１】本発明の一実施の形態における携帯電話機の開いた状態を示す斜視図である。
【図２】図１の携帯電話機の閉じた状態を示す部分分解斜視図である。
【図３】本発明の一実施の形態におけるイヤフォンマイク端子カバーの形状を示す側面図である。
【図４】本発明の一実施の形態におけるイヤフォンマイク端子カバーの形状を示す裏面平面図である。
【図５】本発明の一実施の形態におけるイヤフォンマイク端子カバーの形状を示す表面斜視図である。
【図６】本発明の一実施の形態におけるイヤフォンマイク端子カバーの形状を示す裏面斜視図である。
【図７】第１突起部付近の拡大図である。
【図８】イヤフォンマイク端子カバーが配置される開口を示す図である。
【図９】イヤフォンマイク端子カバーを取り付ける様子を示す断面図である。
【図１０】イヤフォンマイク端子カバーを取り付けた後の様子を示す断面図である。
【図１１】蓋部を閉じる際の第１状態を示す拡大断面図である。（ａ）は図１０のＡ部を示しており、（ｂ）は図１０のＢ部を示している。
【図１２】蓋部を閉じる際の第２状態を示す拡大断面図である。（ａ）は図１０のＡ部を示しており、（ｂ）は図１０のＢ部を示している。
【図１３】蓋部を閉じる際の第３状態を示す拡大断面図である。（ａ）は図１０のＡ部を示しており、（ｂ）は図１０のＢ部を示している。
【図１４】本発明の一実施の形態におけるイヤフォンマイク端子カバーの他の形状を示す表面斜視図である。
【図１５】本発明の一実施の形態における充電端子カバー形状を示す裏面平面図である。
【図１６】本発明の一実施の形態における充電端子カバー形状を示す一方の側面図である。
【図１７】図１６のＸＶＩＩ−ＸＶＩＩ線に沿う断面図である。
【図１８】本発明の一実施の形態における充電端子カバー形状を示す他方の側面図である。
【図１９】本発明の一実施の形態における充電端子カバー形状を示す表面平面図である。
【図２０】充電端子カバーを取り付ける際の第１状態を示す断面図である。
【図２１】充電端子カバーを取り付ける際の第２状態を示す断面図である。
【図２２】充電端子カバーを取り付ける際の第３状態を示す拡大断面図であり、図２１におけるＣ部を示している。
【図２３】充電端子カバーを取り付ける際の第４状態を示す拡大断面図であり、図２１におけるＣ部を示している。
【図２４】充電端子カバーを取り付ける際の第５状態を示す拡大断面図であり、図２１におけるＣ部を示している。
【図２５】従来の端子カバーの構成を示す断面図である。
【図２６】従来の他の端子カバーの構成を示す斜視図である。
【図２７】従来のさらに他の端子カバーの構成を示す分解斜視図である。
【図２８】従来のさらに他の端子カバーの構成を示す斜視図である。
【図２９】図２８に示す端子カバーの開閉の様子を示す図である。
【図３０】従来のさらに他の端子カバーを筐体に取り付けた状態を示す断面図である。
【図３１】従来のさらに他の端子カバーの構成を示す断面図である。
【図３２】図３１に示す端子カバーを取り付ける際の端子カバーの様子を示す図である。（ａ）は図３０におけるＤ部を示しており、（ｂ）は図３０におけるＥ部を示している。
【図３３】図３１に示す端子カバーを取り付ける際に、突起部が凹部に正しく入らない様子を示す図である。（ａ）は図３０におけるＤ部を示しており、（ｂ）は図３０におけるＥ部を示している。
【符号の説明】
【０１０１】
１  携帯電話機本体、２  第一の筐体、３  第二の筐体、４，１０３，４０３  ヒンジ部、５，５０５  側面キャビ、８  イヤフォンマイク端子カバー、９，５７，２０２ｂ  蓋部、９ａ，５７ａ  蓋部の表面、９ｂ，５７ｂ  蓋部の裏面、１０  腕部、１１，５１  第１突起部、１１ａ，５１ａ，５４１ａ  接触部、１２，５２  第２突起部、１３  第３突起部、１４  充電端子カバー、１５  大径部、１５ａ  傾斜部、１６  円柱部、１７  彫刻、１８  送話部、１９，５１９  機能ボタン部、２０  入力ボタン部、２１，２２  開口、２１ａ，２２ａ，１０４ａ，３１６ａ〜３１６ｃ，４０５，５０７  溝、２３，２４，１０６，１１０，２０２ａ，５０７ａ  凹部、２５  穴、３１，３３  表示部、３２  レシーバ、３４  カメラユニット、３５  フラッシュ、３６  カメラ、３７  スピーカ、５４，５５，５８，５４１  突起部、５６，２０２ｃ  舌片部、６０  仮想線、１００  ヒンジ付き蓋、１０２  蓋本体、１０４  電池ケース、１０５，１０７  フック、１０８  ヒンジ収納スペース、１０９  ストッパ、２０２，４０１，５０９  端子カバー、２２１  先端面、２２２  傾斜面、２２３  抜け止め用部分、２２４  ガイド面、２２５  弾性変形用穴、２２７  端子ガイド部、３１３ａ  コネクタカバー部、３１３ｂ  イヤフォンジャックカバー部、３１３  保護部材、３１４  ＩＦコネクタ、３１５  イヤフォンジャック、３２０  下表ハーフ、３２１  下裏ハーフ、３２４  プリント基板、４０２  カバー本体、４０３ａ，４０３ｂ  回転軸、４０４  電話機本体、４０４ａ  電話機本体の上端、４０７  係止突部、４０８  係止凹部、４１１，５０２ａ  端子、５０２  筐体、５０９ａ  端子カバーの裏面、５０９ｂ  端子カバーの表面、５１０  電子部品。
【図１】
2006197225.tif 000003
【図２】
2006197225.tif 000004
【図３】
2006197225.tif 000005
【図４】
2006197225.tif 000006
【図５】
2006197225.tif 000007
【図６】
2006197225.tif 000008
【図７】
2006197225.tif 000009
【図８】
2006197225.tif 000010
【図９】
2006197225.tif 000011
【図１０】
2006197225.tif 000012
【図１１】
2006197225.tif 000013
【図１２】
2006197225.tif 000014
【図１３】
2006197225.tif 000015
【図１４】
2006197225.tif 000016
【図１５】
2006197225.tif 000017
【図１６】
2006197225.tif 000018
【図１７】
2006197225.tif 000019
【図１８】
2006197225.tif 000020
【図１９】
2006197225.tif 000021
【図２０】
2006197225.tif 000022
【図２１】
2006197225.tif 000023
【図２２】
2006197225.tif 000024
【図２３】
2006197225.tif 000025
【図２４】
2006197225.tif 000026
【図２５】
2006197225.tif 000027
【図２６】
2006197225.tif 000028
【図２７】
2006197225.tif 000029
【図２８】
2006197225.tif 000030
【図２９】
2006197225.tif 000031
【図３０】
2006197225.tif 000032
【図３１】
2006197225.tif 000033
【図３２】
2006197225.tif 000034
【図３３】
2006197225.tif 000035